(57)【要約】【課題】ホログラム記録においてプリキュア処理を含めたデータ記録時間の短縮を図ること。【解決手段】ピックアップ１１は、記録データで変調した信号光３０６とこれに対する参照光３０７を重ねてホログラム媒体１に照射し、データを記録する。ホログラム媒体１に複数のデータ（ブック）を所定の間隔で順次記録するとき、先行する第１のデータＢｋ１を記録するときに照射する参照光Ｒ１を用いて、これに続く第２のデータＢｋ２を記録するための前露光処理を行う。複数のデータのうち先行して記録されるデータが存在しない先頭のデータに対しては、別途キュア光学系１３により前露光処理を行う。あるいは前露光処理を行なわずに、ダミーデータから生成した信号光Ｓ１’と参照光Ｒ１’を照射する。【選択図】図５
2016201156.tif 000002
【特許請求の範囲】
【請求項１】
信号光と参照光を照射しホログラム記録媒体にデータを記録するホログラム記録装置において、
光源から出射した光ビームを記録データで変調して前記信号光を生成するとともに、前記光源から出射した光ビームから前記参照光を生成し、前記信号光と前記参照光を互いに重ねて前記ホログラム記録媒体に照射するピックアップと、
前記ホログラム記録媒体または前記ピックアップを移動させ、前記ホログラム記録媒体に対する前記ピックアップの位置決めを行う移動機構部と、
前記ピックアップによる前記信号光と前記参照光の照射と、前記移動機構部による位置決め動作を制御する制御部とを備え、
前記制御部は、前記ホログラム記録媒体に複数のデータを所定の間隔で順次記録するとき、先行する第１のデータを記録するときに照射する参照光を用いて、これに続く第２のデータを記録するための前露光処理を行うことを特徴とするホログラム記録装置。
【請求項２】
請求項１に記載のホログラム記録装置において、
データを記録する前の前露光処理を行う光学系を備え、
前記制御部は、前記複数のデータのうち先行して記録されるデータが存在しない先頭のデータ、および前記先頭データに続く複数のデータに対し、前記光学系により前露光処理を行うことを特徴とするホログラム記録装置。
【請求項３】
請求項１に記載のホログラム記録装置において、
前記制御部は、前記複数のデータのうち先行して記録されるデータが存在しない先頭のデータ、および前記先頭データを含む複数のデータに対し、ダミーデータを重畳した、もしくはデータを重畳しない信号光と前記参照光を照射することを特徴とするホログラム記録装置。
【請求項４】
請求項１に記載のホログラム記録装置において、
前記第１のデータを記録するときに照射する参照光のエネルギーが、前記第２のデータを記録するための前露光処理に必要なエネルギーに不足する場合、不足のエネルギーを補充するため、前記第１のデータを記録するための参照光の他に照射角度を追加した参照光を照射することを特徴とするホログラム記録装置。
【請求項５】
請求項１乃至４のいずれか１項に記載のホログラム記録装置において、
前記複数のデータはそれぞれ複数のページからなるブックとして前記ホログラム記録媒体の１つの記録位置に記録され、前記ブックは、ページ毎に変調した信号光とページ毎に前記ホログラム記録媒体に対する入射角を変えた参照光を照射して多重記録したものであることを特徴とするホログラム記録装置。
【請求項６】
信号光と参照光を照射しホログラム記録媒体にデータを記録するホログラム記録方法において、
光源から出射した光ビームを記録データで変調して前記信号光を生成するとともに、前記光源から出射した光ビームから前記参照光を生成し、前記信号光と前記参照光を互いに重ねて前記ホログラム記録媒体に照射するステップと、
前記ホログラム記録媒体または前記ピックアップを移動させ、前記ホログラム記録媒体に対する前記ピックアップの位置決めを行うステップと、を備え、
前記ホログラム記録媒体に複数のデータを所定の間隔で順次記録するとき、先行する第１のデータを記録するときに照射する参照光を用いて、これに続く第２のデータを記録するための前露光処理を行うことを特徴とするホログラム記録方法。
【請求項７】
請求項６に記載のホログラム記録方法において、
前記複数のデータのうち先行して記録されるデータが存在しない先頭のデータ、および前記先頭データに続く複数のデータに対し、データを記録する前の前露光処理を行うステップを備えることを特徴とするホログラム記録方法。
【請求項８】
請求項６に記載のホログラム記録方法において、
前記複数のデータのうち先行して記録されるデータが存在しない先頭のデータ、および前記先頭データを含む複数のデータに対し、ダミーデータを重畳した、もしくはデータを重畳しない信号光と前記参照光を照射することを特徴とするホログラム記録方法。
【請求項９】
請求項６に記載のホログラム記録方法において、
前記第１のデータを記録するときに照射する参照光のエネルギーが、前記第２のデータを記録するための前露光処理に必要なエネルギーに不足する場合、不足のエネルギーを補充するため、前記第１のデータを記録するための参照光の他に照射角度を追加した参照光を照射することを特徴とするホログラム記録方法。
【請求項１０】
請求項６乃至９のいずれか１項に記載のホログラム記録方法において、
前記複数のデータはそれぞれ複数のページからなるブックとして前記ホログラム記録媒体の１つの記録位置に記録され、前記ブックは、ページ毎に変調した信号光とページ毎に前記ホログラム記録媒体に対する入射角を変えた参照光を照射して多重記録したものであることを特徴とするホログラム記録方法。
【発明の詳細な説明】
【技術分野】
【０００１】
本発明は、ホログラム媒体にデータを記録するホログラム記録装置及びホログラム記録方法に関する。
【背景技術】
【０００２】
次世代のストレージ技術として注目されるホログラム記録方式は、空間光変調器により２次元的に変調されたデータの情報を有する信号光を、記録媒体の内部で参照光と重ね合わせ、その時に生じる干渉縞パターンによって記録媒体内に屈折率変調を生じさせることで情報を記録するものである。ホログラム記録では、１つのホログラムによって２次元的な情報を一気に記録媒体に記録することが可能であり、また、記録媒体のある領域に複数のデータを重ね書き（多重記録）することができるため、大容量データの記録が可能となる。ここで、媒体上に記録位置を単位に記録されるデータを「ブック」、１つの「ブック」に多重して記録されるデータを「ページ」と呼ぶ。
【０００３】
ホログラム記録においては、データを記録する前工程としてプリキュア処理（前露光）が行われる。プリキュア処理とは、ホログラム媒体内のデータ記録領域に予め所定の光ビームを照射して、媒体を活性化させることである。
【０００４】
プリキュア処理に関し特許文献１には、データ記録のために使用される光源により発せられるコヒーレント光ビームを照射して前露光を行う構成が記載されている。ただし、前露光により記録されたデータパターンの回折効率がデータをノイズと区別するにはあまりにも低くなるように、露光線量を小さくして用いている。
【０００５】
また特許文献２には、参照光ビームをキュア用光ビームとして用いる構成、またはキュア用光ビームの光路と参照光ビームの光路の一部を共有する構成が記載されている。
【先行技術文献】
【特許文献】
【０００６】
【特許文献１】特表２００９−５３０６７６号公報
【特許文献２】特開２００９−７６１７１号公報
【発明の概要】
【発明が解決しようとする課題】
【０００７】
特許文献１や特許文献２には、データ記録時に用いる信号光または参照光の光ビームをプリキュア処理のために兼用して用いる構成が記載されている。そしてこの構成によれば、データ記録時とプリキュア処理時の光源及び光学系を共有できるので、装置の小型化と工程の簡略化が図られると述べている。
【０００８】
しかしながら従来のプリキュア処理は、各ブックを記録する前にそれぞれのブックの記録領域に対して最適なキュア用光ビームを照射し、多重記録における記録品質向上とデータ量（ページ数）の最大化を図っている。そのため、プリキュア処理を含めたデータ記録時間は増大し、大容量データを高速に記録する上での妨げになっていた。特許文献１、２においては、プリキュア処理を含めたデータ記録の高速化については特に考慮されていない。
【０００９】
本発明の目的は、ホログラム記録においてプリキュア処理を含めたデータ記録時間の短縮を図ることである。
【課題を解決するための手段】
【００１０】
本発明は、信号光と参照光を照射しホログラム記録媒体にデータを記録するホログラム記録装置であって、光源から出射した光ビームを記録データで変調して信号光を生成するとともに、光源から出射した光ビームから参照光を生成し、信号光と参照光を互いに重ねてホログラム記録媒体に照射するピックアップと、ホログラム記録媒体またはピックアップを移動させ、ホログラム記録媒体に対するピックアップの位置決めを行う移動機構部と、ピックアップによる信号光と参照光の照射と、移動機構部による位置決め動作を制御する制御部とを備え、制御部は、ホログラム記録媒体に複数のデータを所定の間隔で順次記録するとき、先行する第１のデータを記録するときに照射する参照光を用いて、これに続く第２のデータを記録するための前露光処理を行う。
【００１１】
本発明は、信号光と参照光を照射しホログラム記録媒体にデータを記録するホログラム記録方法であって、光源から出射した光ビームを記録データで変調して信号光を生成するとともに、光源から出射した光ビームから参照光を生成し、信号光と参照光を互いに重ねてホログラム記録媒体に照射するステップと、ホログラム記録媒体またはピックアップを移動させ、ホログラム記録媒体に対する前記ピックアップの位置決めを行うステップと、を備え、ホログラム記録媒体に複数のデータを所定の間隔で順次記録するとき、先行する第１のデータを記録するときに照射する参照光を用いて、これに続く第２のデータを記録するための前露光処理を行う。
【発明の効果】
【００１２】
本発明によれば、ホログラム記録においてプリキュア処理を含めたデータ記録時間を短縮し、大容量のデータを高速に記録することができる。
【図面の簡単な説明】
【００１３】
【図１】ホログラム記録再生装置の全体構成の一例を示すブロック図。
【図２】ピックアップ１１の光学系構成の一例を示す図。
【図３】ホログラム媒体にデータを記録する動作フローを示す図。
【図４】記録処理によるホログラム媒体の状態変化を示す図。
【図５】媒体内のデータ記録領域の形成工程を示す図（実施例１）。
【図６】記録時に照射する信号光と参照光のサイズの一例を示す図。
【図７】媒体内のデータ記録領域の形成工程を示す図（実施例２）。
【図８】プリキュアアシストについて説明する図（実施例３）。
【発明を実施するための形態】
【００１４】
以下、本発明の実施形態を添付図面に従って説明する。まず、ホログラム記録再生の基本構成を説明する。
図１は、ホログラム記録再生装置の全体構成の一例を示すブロック図である。ホログラム記録再生装置１０は、入出力制御回路９０を介して外部制御装置９１と接続されている。データを記録する場合には、ホログラム記録再生装置１０は外部制御装置９１から記録するデータを入出力制御回路９０により受信する。再生する場合には、ホログラム記録再生装置１０は再生したデータを入出力制御回路９０により外部制御装置９１に送信する。
【００１５】
ホログラム記録再生装置１０は、ピックアップ１１、再生用参照光光学系１２、キュア光学系１３、ディスク回転角度検出用光学系１４、及び回転モータ５０を備えており、ディスク状のホログラム記録媒体１（以下、ホログラム媒体、または媒体）は回転モータ５０によって回転移動可能な構成となっている。
【００１６】
ピックアップ１１は、信号光と参照光をホログラム媒体１に照射して、ホログラフィを利用してデータを媒体に記録する役割を果たす。この際、記録するデータはコントローラ８９によって信号生成回路８６を介してピックアップ１１内の空間光変調器に送られ、信号光は空間光変調器によって変調される。ホログラム媒体１に照射する信号光と参照光の照射時間は、ピックアップ１１内のシャッタの開閉時間をコントローラ８９によってシャッタ制御回路８７を介して制御する。
【００１７】
ホログラム媒体１に記録したデータを再生する場合は、ピックアップ１１から出射された参照光を記録時とは逆の向きに、ホログラム媒体１に入射させる光波を再生用参照光光学系１２にて生成する。再生用参照光によって再生される再生光をピックアップ１１内の光検出器によって検出し、信号処理回路８５によってデータを再生する。
【００１８】
キュア光学系１３は、ホログラム媒体１のプリキュア処理およびポストキュア処理に用いる光ビームを生成する。プリキュア処理とは、ホログラム媒体１内の所望の位置にデータを記録する際、所望位置に信号光と参照光を照射する前に予め所定の光ビームを照射する前工程である。ポストキュア処理とは、ホログラム媒体１内の所望の位置にデータを記録した後、該所望の位置に追記不可能とするために所定の光ビームを照射する後工程である。
【００１９】
ディスク回転角度検出用光学系１４は、ホログラム媒体１の回転角度を検出するために用いられる。ホログラム媒体１を所定の回転角度に位置決めする場合は、ディスク回転角度検出用光学系１４によって回転角度に応じた信号を検出し、検出された信号を用いてコントローラ８９によってディスク回転モータ制御回路８８を介してホログラム媒体１の回転角度を制御する。
【００２０】
光源駆動回路８２からは所定の光源駆動電流がピックアップ１１、キュア光学系１３、ディスク回転角度検出用光学系１４内の光源に供給され、各々の光源からは所定の光量で光ビームを発光する。
【００２１】
ピックアップ１１とキュア光学系１３は、ホログラム媒体１の半径方向に位置をスライドできる移動機構が設けられており、アクセス制御回路８１を介して位置決めが行われる。
【００２２】
ホログラム媒体１へのデータ記録では、１つの領域に複数のデータを参照光の角度を変えながら記録する角度多重方式を採用する。その場合、１つ１つの参照光角度に対応したデータ（ホログラム）を「ページ」と呼び、同一領域に角度多重されたページの集合を「ブック」と呼ぶ。角度多重方式では、参照光角度のずれに対する許容誤差が極めて小さくなる。従って、ピックアップ１１内に、参照光角度のずれ量を検出する機構を設け、サーボ信号生成回路８３にてサーボ制御用の信号を生成し、サーボ制御回路８４を介して該ずれ量を補正するサーボ機構を備える。
【００２３】
なお、図１の構成では、ピックアップ１１やキュア光学系１３の光学系をホログラム媒体１の所望のデータ記録位置に位置付けるために、ディスク回転モータ制御回路８８と回転モータ５０で媒体を回転移動させ、アクセス制御回路８１で光学系を媒体半径方向に移動させる構成としたが、これに限らず、光学系と媒体を相対的に移動させて位置決めする移動機構であれば構わない。また、ピックアップ１１、キュア光学系１３、ディスク回転角度検出用光学系１４は、いくつかの光学系構成または全ての光学系構成をひとつに纏めて簡素化しても構わない。
【００２４】
図２は、ホログラム記録再生装置１０におけるピックアップ１１の光学系構成の一例を示す図である。まず、記録時の動作について説明する。
【００２５】
光源（レーザ光源）３０１を出射した光ビームはコリメートレンズ３０２を透過し、シャッタ３０３に入射する。シャッタ３０３が開いている時は、光ビームはシャッタ３０３を通過した後、例えば２分の１波長板などで構成される光学素子３０４によってｐ偏光とｓ偏光の光量比が所望の比になるようになど偏光方向が制御された後、ＰＢＳ（偏光ビームスプリッタ）プリズム３０５に入射する。
【００２６】
ＰＢＳプリズム３０５を透過した光ビームは信号光３０６として働き、ビームエキスパンダ３０８によって光ビーム径が拡大された後、位相マスク３０９、リレーレンズ３１０、ＰＢＳプリズム３１１を透過して空間光変調器３１２に入射する。
【００２７】
空間光変調器３１２は信号光３０６を記録データで２次元状に変調する。変調された信号光３０６はＰＢＳプリズム３１１を反射し、リレーレンズ３１３ならびに空間フィルタ３１４を伝播する。その後、信号光３０６は対物レンズ３１５によって矢印Ｓのようにホログラム媒体１に集光する。
【００２８】
一方、ＰＢＳプリズム３０５を反射した光ビームは参照光３０７として働き、偏光方向変換素子３１６によって記録時または再生時に応じて所定の偏光方向に設定された後、ミラー３１７ならびにミラー３１８を経由してガルバノミラー３１９に入射する。ガルバノミラー３１９はアクチュエータ３２０によって角度を調整可能であり、参照光３０７はレンズ３２１，３２２を通過した後にホログラム媒体１に矢印Ｒのように入射する。参照光の入射角度は、記録するデータ（ページ）毎に所望の角度に設定する。なお、参照光の入射角度を設定するために、ガルバノミラーに代えて、参照光の波面を変換する素子を用いても構わない。
【００２９】
このように信号光３０６と参照光３０７とをホログラム媒体１において、互いに重ね合うように入射させることで、媒体内には干渉縞パターンが形成され、このパターンを媒体に書き込むことでデータを記録する。また、ガルバノミラー３１９によって媒体に入射する参照光３０７の入射角度を変化させ、角度多重方式による記録を行う。角度多重方式により各ページのデータを連続して記録するため、コントローラ８９は、シャッタ３０３による開閉時間の制御とガルバノミラー３１９の角度制御とを連動させて制御する。
【００３０】
次に、再生時の動作について説明する。再生時は、参照光３０７のみをホログラム媒体１に入射し、ホログラム媒体１を透過した光ビームを、アクチュエータ３２３によって角度調整可能なガルバノミラー３２４にて反射させる。これにより、記録時とは逆向きの再生用参照光を生成する。
【００３１】
この再生用参照光をホログラム媒体１に照射して生じる再生光は、対物レンズ３１５、リレーレンズ３１３ならびに空間フィルタ３１４を伝播する。その後、再生光はＰＢＳプリズム３１１を透過して光検出器３２５に入射し、記録されたデータを再生する。光検出器３２５としては、例えばＣＭＯＳイメージセンサーやＣＣＤイメージセンサーなどの撮像素子を用いることができる。
【００３２】
図３は、ホログラム媒体にデータを記録する動作フローを示す図である。ここでは、ホログラム媒体１上の所定の半径位置に、媒体回転方向に所定の間隔で複数のブックを連続して記録する場合について説明する。以下のフローは、コントローラ８９により制御される。
【００３３】
Ｓ１０１では、入出力制御回路９０を介して記録するデータを受信して、信号生成回路８６にて記録用データ（２次元状のページデータ、及びその集合であるブックデータ）を生成しピックアップ１１内の空間光変調器３１２に送る。その後必要に応じて各種の記録用学習処理を行い、例えば光源３０１のパワーやシャッタ３０３による露光時間の設定を行う。
【００３４】
Ｓ１０２では、アクセス制御回路８１を制御してシーク動作を行い、ピックアップ１１及びキュア光学系１３の位置をホログラム媒体１の所定の半径位置に位置付けする。ホログラム媒体１がアドレス情報を持つ場合には、アドレス情報を読み取ることで目的の位置に精度良く位置付けることができる。
【００３５】
Ｓ１０３では、ディスク回転モータ制御回路８８を制御して回転モータ５０を駆動し、ピックアップ１１及びキュア光学系１３の位置をホログラム媒体１の所定の回転角度位置に位置付ける。これで、当該ブックの記録位置決めが完了する。
【００３６】
Ｓ１０４では、当該ブックが「先頭ブック」か否かを判定する。「先頭ブック」とは、媒体の回転方向に複数のブックを連続して記録する場合に、記録列の先頭に記録するブックのことである。言い換えれば、「先頭ブック」の隣接領域は未記録状態となっている。「先頭ブック」の場合は次のＳ１０５へ進むが、「先頭ブック」でない場合はＳ１０５をスキップしてＳ１０６へ進む。
【００３７】
Ｓ１０５では、キュア光学系１３から出射する光ビームを用いてホログラム媒体１の記録対象領域をプリキュア処理する。なお、このプリキュア処理は、本実施例ではピックアップ１１から出射する参照光を用いても可能な構成としている。よって当該ブックが「先頭ブック」でない場合は、媒体上の隣接領域に先行して記録されたブック（先行ブック）が存在し、先行ブック記録時の参照光照射により当該ブック領域のプリキュア処理は完了されているので、Ｓ１０５のステップを省略することができる。
【００３８】
Ｓ１０６では、ピックアップ１１から出射する信号光と参照光を用いてホログラム媒体１にデータを記録する。ホログラム多重記録では、１つの領域に参照光の入射角度を変えながら複数のデータ（ページ）を記録する。これで複数のページからなる１つのブックの記録が完了する。なお、このステップＳ１０６ではピックアップ１１から出射する参照光により、後行するブック（後行ブック）の記録領域に対してプリキュア処理を行ったことになる。
【００３９】
Ｓ１０７では、当該ブックのデータを記録した領域に対し、キュア光学系１３から出射する光ビームを用いてポストキュア処理を行う。また、必要に応じてデータをベリファイしても構わない。
【００４０】
Ｓ１０８では、未記録のデータ（ブック）があるかどうかを判定する。残データがあればＳ１０９へ戻り、当該半径位置でのデータ記録が円周方向に一周したがどうかを判定する。一周していなければＳ１０３へ戻り、媒体を所定角度回転させて隣接する領域に次のデータ（ブック）を記録する。一周していればＳ１０２へ戻り、他の半径位置へシーク動作を行い残りのデータを記録する。
なお、Ｓ１０７のポストキュア処理は、記録したブック毎に実施するのではなく、記録した複数のブック、あるいは全データをまとめて実施してもよい。
【００４１】
この記録動作フローによれば、Ｓ１０５のプリキュア処理は先頭ブックの記録の場合を除いて不要となる。よって、プリキュア処理を含めたデータ記録処理に要する時間を大幅に短縮することができる。
【００４２】
図４は、記録処理によるホログラム媒体の状態変化を示す図である。横軸は媒体に照射するエネルギー、縦軸は媒体内のモノマー消費量を示す。ホログラム記録とは、照射エネルギーにより媒体の記録材質であるモノマーを消費し、モノマー状態からポリマー状態へ変化させることである。
【００４３】
状態変化の各段階について説明する。プリキュア処理（Ａ）とはデータ記録（Ｂ）の前に行う処理であり、媒体を反応活性化開始の状態（符号Ｍ）にするために所定の光ビームを照射ものである。プリキュア処理（Ａ）ではモノマーをほとんど消費しない。データ記録（Ｂ）では媒体に信号光と参照光を照射し、ホログラムを形成する。ホログラムの形成ではエネルギーを照射した領域のモノマーが消費され、ポリマーに置き換わる。ホログラム（ページ）の多重形成に伴ってモノマーの消費量が増大し、記録材質の殆どがポリマー化すると、それ以上データ記録がなされない状態（符号Ｐ）となる。ポストキュア処理（Ｃ）とは、データを記録した領域に残っているモノマーを全て消費してポリマー化するために所定の光ビームを照射するものである。これによりデータ記録済の領域を追記不可能とすることができる。
【００４４】
従来のプリキュア処理（Ａ）では、データ記録（Ｂ）の前に独立して光ビームを照射していた。これに対し本実施例では、先行ブックのデータ記録に用いた参照光（Ｂ０）のエネルギーを利用して当該ブックのプリキュア処理を行うものである。すなわち、先行ブックの参照光のエネルギー（Ｂ０）が、プリキュア処理に必要なエネルギー（Ａ）以上となるよう設定することで、媒体を反応活性化開始の状態（符号Ｍ）に移行させることができる。これより、データ記録（Ｂ）の前に毎回行っていた独立したプリキュア処理（Ａ）を廃止することができる。
以下、連続するブックの記録処理を実施例１〜３の具体例で説明する。
【実施例１】
【００４５】
実施例１は、先頭ブックのみに対して独立のプリキュア処理を実施する場合である。
図５は、実施例１における媒体内のデータ記録領域の形成工程を示す媒体断面図である。ここでは、先頭ブックＢｋ１とこれに続くブックＢｋ２の記録について工程順に示す。
【００４６】
＜工程１＞では、媒体１上の先頭ブックＢｋ１を記録すべき位置にピックアップ１１を位置付け、別途独立したプリキュア処理を行う。これは、先頭ブックＢｋ１には、先行して記録されるブックが存在しないので、先行ブックの参照光を利用できないからである。プリキュア処理では、キュア光学系１３（レーザ光源、もしくはＬＥＤ光源）からのインコヒーレントな光ビームＰｃを照射する。あるいは、ピックアップ１１からの記録用の参照光Ｒ０を照射してもよい。ただし参照光Ｒ０の場合はコヒーレント光であるので、入射角度を変化させて繰り返し照射する。
【００４７】
＜工程２＞では、＜工程１＞のプリキュア光照射位置に、第１のブックＢｋ１に対応する各ページの信号光Ｓ１と参照光Ｒ１を順次照射する。信号光Ｓ１は図２の空間光変調器３１２によりページ毎の２次元データで変調されており、対物レンズ３１５により媒体１の略中心深さで最も絞り込んで照射する。一方参照光Ｒ１は、図２のレンズ３２２を介して略平行光とし、ページ毎に入射角度を変えながら照射する。これにより、信号光Ｓ１と参照光Ｒ１の重なった領域にページ毎の干渉縞パターンが生じ、第１のブックＢｋ１の記録（ホログラム形成）が完了する。
【００４８】
＜工程３＞では、第２のブックＢｋ２を記録する。まず、媒体上の記録位置をＢｒａｇｇ角度方向（図面矢印Ｘ方向）に移動させる。Ｂｒａｇｇ角度方向とは、参照光Ｒの入射角を変化させる方向を含む平面と媒体面の交線の方向であり、この例では媒体円周方向になる。具体的には、回転モータ５０により媒体１を回転方向に移動させて、＜工程２＞で記録済みのブックＢｋ１に隣接する記録位置まで位置付ける。そして、第２のブックＢｋ２に対応する各ページの信号光Ｓ２と参照光Ｒ２を順次照射する。
【００４９】
このとき、第２のブックＢｋ２の記録予定領域は、＜工程２＞で第１のブックＢｋ１を記録した時の各参照光Ｒ１（コヒーレント光）が照射されており、これがプリキュア処理の役目を果たしている。つまり、記録しようとする第２のブックＢｋ２に含まれる各ページの入射角に対し、第１のブックＢｋ１を記録したときの各ページに対する参照光Ｒ１の入射角のいずれかが対応することから、コヒーレントな参照光Ｒ１であっても十分なプリキュア処理の効果が得られる。よって、＜工程１＞のような独立したプリキュア処理を行うことなく、第２のブックＢｋ２の記録（ホログラム形成）を行うことができる。
【００５０】
以降、＜工程３＞を繰り返してＸ方向に連続して次のブックを記録する。このようにして、媒体１を円周方向に一周して先頭ブックＢｋ１に到達するするまでブックを記録できる。ただし、先頭ブックＢｋ１の近傍領域ではブックＢｋ１記録時の参照光Ｒ１の照射を受けている。これによる記録データの品質劣化を避けるために、先頭ブックＢｋ１から所定距離手前の位置でブック記録を終了するのが良い（エンドポイントの設定）。
【００５１】
図６は、データ記録時に照射する信号光と参照光のサイズの一例を示す図であり、（ａ）は照射平面図、（ｂ）は照射断面図である。ここでは、３個のブックＢｋ１〜Ｂｋ３を連続して記録するときの各信号光Ｓ１〜Ｓ３と参照光Ｒ１〜Ｒ３の形状を示す。なお、（ａ）の平面図では、信号光Ｓ１〜Ｓ３は媒体中心面での形状を、参照光Ｒ１〜Ｒ３は媒体上面での形状を示す。
【００５２】
信号光Ｓ１〜Ｓ３は媒体中心面で最も絞られ、最小直径ｄの円形とする。参照光Ｒ１〜Ｒ３は各信号光Ｓ１〜Ｓ３の媒体内照射領域を含むように、Ｘ方向に長軸を持ち例えば長径が略４ｄの楕円形とする。各信号光及び参照光のＸ方向の移動量をｄとすれば、媒体中心面では各ブック間に隙間を生じさせないでデータを記録できる。また、参照光のサイズはこの例では４ｄとしたが、形成するブックの形状に応じて後行して記録するブックに対するプリキュア効果が最適となるよう決定するのがよい。つまり、参照光のサイズが小さすぎる場合は、図４の状態（Ｍ）に至らず後行ブック形成に対するプリキュア効果が不十分となり、データ品質の劣化を招く。逆に参照光のサイズが大きすぎる場合は、図４の状態（Ｍ）を超えて媒体のモノマーを無駄に消費することになるから、記録可能なデータ量が減少する。さらに、参照光のパワーについてもプリキュア効果が最適に得られるように決定する。
【００５３】
このように実施例１によれば、先行して記録したブックの参照光が、次に記録するブックのプリキュア処理の役目を果たすので、各ブックを記録する前工程として毎回行っていたプリキュア処理が不要となる。よって、プリキュア処理の時間が節約され、データ記録時間の短縮が図られる。また、上記工程により先行して記録したブックの参照光による媒体の記録容量の無駄消費を低減することが可能となる。さらに参照光のサイズとパワーの最適化を行うことで、記録データの品質と、記録データの容量を維持することができる。
【実施例２】
【００５４】
実施例２は、先頭ブックを記録するときも独立のプリキュア処理を廃止し、代わりに、先頭ブックはダミーデータを重畳した、もしくはデータを重畳しないダミーブックとする場合である。
図７は、実施例２における媒体内のデータ記録領域の形成工程を説明する媒体断面図である。ここでは、先頭ブックＢｋ１’(ダミーブック)とこれに続くブックＢｋ２の記録について工程順に説明する。
【００５５】
＜工程１＞では、プリキュア処理なしに、先頭の第１のブックＢｋ１’に対応する各ページの信号光Ｓ１’と参照光Ｒ１’を順次照射する。この場合プリキュア処理がなく記録性能が保証されないため、この信号光Ｓ１’は２次元のダミーデータ（無効データ）を用いる。ダミーデータの内容は任意であり、例えば、オール“０”のデータでも構わない。一方参照光Ｒ１’は、実施例１の参照光Ｒ１と同様に、ページ毎に入射角度を変えながら照射する。これにより、第１のブックＢｋ１’(ダミーブック)の記録が完了する。
【００５６】
＜工程２＞では、第２のブックＢｋ２（通常データ）を記録する。媒体上の記録位置を図面矢印Ｘ方向に移動させて、＜工程１＞で記録済みのダミーブックＢｋ１’に隣接する記録位置まで位置付ける。そして、第２のブックＢｋ２に対応する各ページの信号光Ｓ２と参照光Ｒ２を順次照射する。このとき、第２のブックＢｋ２の記録予定領域は、＜工程１＞で第１のブック（ダミーブック）Ｂｋ１’を記録した時の各参照光Ｒ１’が照射されており、これがプリキュア処理の役目を果たしている。よって、独立したプリキュア処理を行うことなく、第２のブックＢｋ２の記録（ホログラム形成）を行うことができる。
【００５７】
以降、＜工程２＞を繰り返してＸ方向に連続して次のブックを記録する。再生時においては、先頭のブックＢｋ１’はダミーブックであるのでこれをスキップし、第２のブックＢｋ２から通常データを再生すればよい。
【００５８】
このように実施例２では、実施例１と同様に、先行して記録したブックの参照光が、次に記録するブックのプリキュア処理の役目を果たすので、各ブックを記録する前工程として毎回行っていたプリキュア処理が不要となる。また、先頭ブックに対してもプリキュア処理が不要となり、プリキュア処理の時間が全く不要となる結果、より一層記録時間の短縮が図られる。さらに、プリキュア処理専用のキュア光学系１３が不要、または簡略化できる効果がある。さらに、先頭のダミーブック記録期間をホログラム記録の温度安定化待ち時間と兼用することも可能となり、記録工程の効率化が図られる。
【実施例３】
【００５９】
前記実施例１，２においては、先行して記録したブックの参照光を、次に記録するブックのプリキュア処理のために利用している。しかしながら、先行ブックで照射した参照光のエネルギーが、次のブックのプリキュア処理に必要なエネルギーに不足する場合がある。例えば、先行ブックのページ数が次のブックのページ数より少ない場合などがこれに該当する。実施例３では、このような場合にプリキュア処理を補充（以下、プリキュアアシスト）することについて述べる。
【００６０】
図８は、プリキュアアシストについて説明する図であり、（ａ）はプリキュアエネルギーを、（ｂ）は参照光の照射角度を示す。
【００６１】
（ａ）は、前記図４で説明したホログラム媒体の状態変化の拡大図である。プリキュア処理では、媒体を反応活性化開始の状態（Ｍ）にする必要がある。実施例１，２では、先行ブックの参照光（Ｂ０）を利用して媒体を（Ｍ）状態まで移行させるものであるが、記録データ分だけではエネルギーがＢ０ｄまでしか至らず、（Ｍ）状態に達しない状況である。この不足分をアシスト分Ｂ０ａとして補充する。
【００６２】
（ｂ）は１つのブック記録における参照光照射角度を示す。記録データ（ページ）分に対する参照光照射角度はθｄであり、不足のエネルギーＢ０ａを補充するため、参照光照射角度をアシスト分θａだけ追加する。アシスト分θａにおいては、例えば空間光変調器３１２をブラック状態にするなどして信号光をカットし、参照光のみを照射する。これによりプリキュアエネルギーの不足を補充し、媒体を（Ｍ）状態に移行させることができる。このように、連続するブック記録でページ数が異なる場合には、先行ブックでは後行ブックのページ数以上の参照光を照射すればよい。
【００６３】
実施例３によれば、先行ブックの参照光による照射エネルギーが不足する場合、参照光を補充することでこれを解消し、記録データ品質の低下を防止することができる。
【符号の説明】
【００６４】
１：ホログラム記録媒体、１０：ホログラム記録再生装置、１１：ピックアップ、１３：キュア光学系、５０：回転モータ、８１：アクセス制御回路、８６：信号生成回路、８８：ディスク回転モータ制御回路、８９：コントローラ、３０１：光源、３０５：ＰＢＳプリズム、３０６：信号光（Ｓ）、３０７：参照光（Ｒ）、３１１：ＰＢＳプリズム、３１２：空間光変調器、３１５：対物レンズ、３１９：ガルバノミラー、Ｂｋ：ブック。
【図１】
2016201156.tif 000003
【図２】
2016201156.tif 000004
【図３】
2016201156.tif 000005
【図４】
2016201156.tif 000006
【図５】
2016201156.tif 000007
【図６】
2016201156.tif 000008
【図７】
2016201156.tif 000009
【図８】
2016201156.tif 000010